(57)【要約】【課題】簡易に撮像画像に含まれるモアレをより低減することができる画質調整装置を提供する。【解決手段】画質調整装置４０は、複数の画素２１ｄを有し、当該複数の画素２１ｄのそれぞれが複数のサブ画素２１ａ〜２１ｃの並びで構成される表示パネル２０が、複数のサブ画素２１ａ〜２１ｃのうちの一部が点灯した測定用画像を表示するように表示パネル２０を制御する点灯制御部４２と、複数のサブ画素２１ａ〜２１ｃの並び方における画素２１ｄの画素ピッチｐで定まるパネル空間周波数をｆｄとしたときに、表示パネル２０に表示された測定用画像を撮像装置３０が撮像して得られる第一の画像から、少なくともｆｄ／２以上の空間周波数成分を除去するフィルタ４４と、を備える。【選択図】図２
2019176279.tif 000002
【特許請求の範囲】
【請求項１】
複数の画素を有し、当該複数の画素のそれぞれが複数のサブ画素の並びで構成される表示パネルが、前記複数のサブ画素のうちの一部が点灯した測定用画像を表示するように前記表示パネルを制御する点灯制御部と、
前記複数のサブ画素の並び方向における前記画素の画素ピッチで定まるパネル空間周波数をｆｄとしたときに、前記表示パネルに表示された前記測定用画像を撮像装置が撮像して得られる第一の画像から、少なくともｆｄ／２以上の空間周波数成分を除去する第一の電気フィルタと、を備える
画質調整装置。
【請求項２】
前記撮像装置の空間サンプリング周波数を前記撮像装置の画素ピッチに基づく第一の空間サンプリング周波数に制御する撮像制御部をさらに備え、
前記撮像制御部は、前記パネル空間周波数ｆｄに対する前記第一の空間サンプリング周波数の倍率をα１としたときに、当該倍率α１が１よりも大きな値となるように、前記第一の空間サンプリング周波数を制御する
請求項１に記載の画質調整装置。
【請求項３】
前記撮像制御部は、前記倍率α１が１．５≦α１≦２となるように前記第一の空間サンプリング周波数を制御する
請求項２に記載の画質調整装置。
【請求項４】
前記撮像装置の空間サンプリング周波数を前記撮像装置の画素ピッチで定まる第一の空間サンプリング周波数に制御する撮像制御部をさらに備え、
前記撮像制御部は、前記パネル空間周波数ｆｄに対する前記第一の空間サンプリング周波数の倍率をα１としたときに、当該倍率α１が１より小さな値となるように前記第一の空間サンプリング周波数を制御し、
前記第一の電気フィルタは、さらに、前記第一の空間サンプリング周波数をｆｓ１としたときに、ＡＢＳ（ｆｓ１／α１−ｎ１×ｆｓ１）、ＡＢＳ（２ｆｓ１／α１−ｎ１×ｆｓ１）、および、ＡＢＳ（３ｆｓ１／α１−ｎ１×ｆｓ１）のうち最も大きい値以上の空間周波数成分を、前記第一の画像から除去し、
ＡＢＳ（ｆｓ１／α１−ｎ１×ｆｓ１）における係数ｎ１は、ＡＢＳ（ｆｓ１／α１−ｎ１×ｆｓ１）＜ｆｓ１／２を満たす整数であり、
ＡＢＳ（２ｆｓ１／α１−ｎ１×ｆｓ１）における係数ｎ１は、ＡＢＳ（２ｆｓ１／α１−ｎ１×ｆｓ１）＜ｆｓ１／２を満たす整数であり、
ＡＢＳ（３ｆｓ１／α１−ｎ１×ｆｓ１）における係数ｎ１は、ＡＢＳ（３ｆｓ１／α１−ｎ１×ｆｓ１）＜ｆｓ１／２を満たす整数である
請求項１に記載の画質調整装置。
【請求項５】
前記第一の電気フィルタは、前記係数ｎ１をＡＢＳ（ｆｓ１／α１−ｎ１×ｆｓ１）が最も小さくなる値としたときに、ＡＢＳ（ｆｓ１／α１−ｎ１×ｆｓ１）以上の空間周波数成分を除去する
請求項４に記載の画質調整装置。
【請求項６】
前記撮像制御部は、さらに、前記撮像装置を前記第一の空間サンプリング周波数とは異なる第二の空間サンプリング周波数に制御し、
さらに、
前記第一の空間サンプリング周波数で撮像された前記第一の画像に含まれるモアレの空間周波数成分である第一のモアレ成分であって、前記表示パネルの表示ムラの空間周波数の領域内に存在する第一のモアレ成分を除去する第二の電気フィルタと、
前記第二の空間サンプリング周波数で撮像された第二の画像に含まれるモアレの空間周波数成分である第二のモアレ成分であって、前記表示ムラの空間周波数の領域内に存在する第二のモアレ成分を除去する第三の電気フィルタと、を備え、
前記第二の電気フィルタが除去する周波数帯域と前記第三の電気フィルタが除去する周波数帯域とは、異なる
請求項２〜５のいずれか１項に記載の画質調整装置。
【請求項７】
前記倍率α１は整数であり、前記パネル空間周波数ｆｄに対する前記第二の空間サンプリング周波数の倍率をα２としたときに、当該倍率α２は非整数である
請求項６に記載の画質調整装置。
【請求項８】
前記第二の電気フィルタは、空間周波数ゼロを含む空間周波数成分を除去し、
前記第三の電気フィルタは、前記第二の空間サンプリング周波数をｆｓ２としたときに、ＡＢＳ（ｆｓ２／α２−ｎ２×ｆｓ２）、ＡＢＳ（２ｆｓ２／α２−ｎ２×ｆｓ２）、および、ＡＢＳ（３ｆｓ２／α２−ｎ２×ｆｓ２）のうちの少なくとも１つを除去し、
ＡＢＳ（ｆｓ２／α２−ｎ２×ｆｓ２）における係数ｎ２は、ＡＢＳ（ｆｓ２／α２−ｎ２×ｆｓ２）＜ｆｓ２／２を満たす整数であり、
ＡＢＳ（２ｆｓ２／α２−ｎ２×ｆｓ２）における係数ｎ２は、ＡＢＳ（２ｆｓ２／α２−ｎ２×ｆｓ２）＜ｆｓ２／２を満たす整数であり、
ＡＢＳ（３ｆｓ２／α２−ｎ２×ｆｓ２）における係数ｎ２は、ＡＢＳ（３ｆｓ２／α２−ｎ２×ｆｓ２）＜ｆｓ２／２を満たす整数である
請求項７に記載の画質調整装置。
【請求項９】
前記第一の電気フィルタは、さらに、第二の画像から、前記少なくともｆｄ／２以上の空間周波数成分を除去する
請求項６〜８のいずれか１項に記載の画質調整装置。
【請求項１０】
前記第一の電気フィルタは、前記倍率α１及び前記倍率α２が１より大きい場合に、前記第一の画像、及び、前記第二の画像のそれぞれから前記少なくともｆｄ／２以上の空間周波数成分を除去する
請求項９に記載の画質調整装置。
【請求項１１】
前記第一の電気フィルタは、前記倍率α１及び前記倍率α２が１より大きい場合に、前記第一のモアレ成分が除去された前記第一の画像、及び、前記第二のモアレ成分が除去された前記第二の画像を合成した合成画像から前記少なくともｆｄ／２以上の空間周波数成分を除去する
請求項９に記載の画質調整装置。
【請求項１２】
前記少なくともｆｄ／２以上の空間周波数成分が除去された前記第一の画像を用いて、前記表示パネルの輝度を補正するための補正テーブルを生成する補正テーブル生成部を備える
請求項１〜１１のいずれか１項に記載の画質調整装置。
【請求項１３】
請求項１〜１２のいずれか１項に記載の画質調整装置と、
表示パネルを撮像して得られた画像を前記画質調整装置に出力する撮像装置とを備え、
前記撮像装置は、当該撮像装置のサンプリング周波数の１／２以上の空間周波数成分を除去する光学フィルタを有する
画質調整システム。
【請求項１４】
複数の画素を有し、当該複数の画素のそれぞれが複数のサブ画素の並びで構成される表示パネルが、前記複数のサブ画素のうちの一部が点灯した測定用画像を表示するように前記表示パネルを制御するステップと、
前記複数のサブ画素の並び方における前記画素の画素ピッチで定まるパネル空間周波数をｆｄとしたときに、前記表示パネルに表示された前記測定用画像を撮像装置が撮像して得られる第一の画像から、少なくともｆｄ／２以上の空間周波数成分を除去するステップと、を含む
画質調整方法。
【発明の詳細な説明】
【技術分野】
【０００１】
本開示は、画質調整装置、画質調整システム、及び、画質調整方法に関する。
【背景技術】
【０００２】
液晶パネル、及び、有機ＥＬ等の表示パネルは、製造ばらつきに起因した表示ムラが生じることが知られている。例えば、液晶パネルでは、配向膜の膜厚に起因する表示ムラ、カラーフィルタ（又はブラックマスク）の開口率に起因する表示ムラ、及び、バックライトの明るさの面内ばらつきに起因する表示ムラなどが生じることが知られている。
【０００３】
そこで、製造段階において、表示パネルの表示ムラを測定した表示ムラデータに基づいて、表示ムラを低減するための補正テーブルを生成し、当該補正テーブルを表示パネルに記憶することが行われる。表示パネルは、映像を表示するための表示データを当該補正テーブルに基づいて補正することで、表示ムラが低減された表示を行うことができる。
【０００４】
表示ムラの測定は、所定の画像を表示した表示パネルを撮像装置（例えば、ＣＣＤカメラ）で撮像することにより行われる。ここで、表示パネルの画素ピッチと、ＣＣＤカメラのＣＣＤイメージセンサの画素ピッチとが異なる場合、撮像画像にモアレが含まれる。モアレを含む撮像画像に基づいて補正テーブルを生成すると、正確に表示ムラを補正することができない。
【０００５】
特許文献１には、モアレの空間周波数成分を表示ムラの空間周波数成分が存在する領域外へずらすために、表示パネルと撮像装置とを所定の相対角度に配置することが開示されている。
【先行技術文献】
【特許文献】
【０００６】
【特許文献１】国際公開第２０１４／０５０２２２号
【発明の概要】
【発明が解決しようとする課題】
【０００７】
特許文献１の方法では、表示パネルと撮像装置とを所定の相対角度に配置しなければならない。つまり、モアレを低減するために、表示パネルと撮像装置とを所定の相対角度に配置するなどの厳密な対策（管理）が必要となる。撮像画像に含まれるモアレは、簡易に低減できることが望まれる。また、撮像画像に含まれるモアレは、より低減されることが望まれる。
【０００８】
そこで、本開示は、簡易に撮像画像に含まれるモアレをより低減することができる画質調整装置、画質調整システム、及び、画質調整方法を提供する。
【課題を解決するための手段】
【０００９】
本開示の一態様に係る画質調整装置は、複数の画素を有し、当該複数の画素のそれぞれが複数のサブ画素の並びで構成される表示パネルが、前記複数のサブ画素のうちの一部が点灯した測定用画像を表示するように前記表示パネルを制御する点灯制御部と、前記複数のサブ画素の並び方向における前記画素の画素ピッチで定まるパネル空間周波数をｆｄとしたときに、前記表示パネルに表示された前記測定用画像を撮像装置が撮像して得られる第一の画像から、少なくともｆｄ／２以上の空間周波数成分を除去する第一の電気フィルタと、を備える。
【００１０】
また、本開示の一態様に係る画質調整システムは、上記の画質調整装置と、表示パネルを撮像して得られた画像を前記画質調整装置に出力する撮像装置とを備え、前記撮像装置は、当該撮像装置のサンプリング周波数の１／２以上の空間周波数成分を除去する光学フィルタを有する。
【００１１】
また、本開示の一態様に係る画質調整方法は、複数の画素を有し、当該複数の画素のそれぞれが複数のサブ画素の並びで構成される表示パネルが、前記複数のサブ画素のうちの一部が点灯した測定用画像を表示するように前記表示パネルを制御するステップと、前記複数のサブ画素の並び方における前記画素の画素ピッチで定まるパネル空間周波数をｆｄとしたときに、前記表示パネルに表示された前記測定用画像を撮像装置が撮像して得られる第一の画像から、少なくともｆｄ／２以上の空間周波数成分を除去するステップと、を含む。
【発明の効果】
【００１２】
本開示によれば、簡易に撮像画像に含まれるモアレをより低減することができる画質調整装置、画質調整システム、及び、画質調整方法が実現される。
【図面の簡単な説明】
【００１３】
【図１】図１は、実施の形態１に係る画質調整システムの概略構成を示す図である。
【図２】図２は、実施の形態１に係る画質調整システムの構成を示すブロック図である。
【図３Ａ】図３Ａは、実施の形態１に係る撮像装置の空間サンプリング周波数を説明するための図である。
【図３Ｂ】図３Ｂは、実施の形態１に係る表示パネルの点灯状態を説明するための図である。
【図４】図４は、実施の形態１に係る画質調整装置の処理の一例を示すフローチャートである。
【図５Ａ】図５Ａは、実施の形態１に係る１．５倍オーバサンプリングにおけるモアレ成分の除去を説明するための図である。
【図５Ｂ】図５Ｂは、比較例に係る表示パネルの点灯状態を説明するための図である。
【図５Ｃ】図５Ｃは、比較例に係る１．５倍オーバサンプリングにおけるモアレ成分を示す図である。
【図６】図６は、実施の形態１の変形例に係る画質調整システムの構成を示すブロック図である。
【図７】図７は、実施の形態２に係る撮像装置の空間サンプリング周波数を説明するための図である。
【図８】図８は、実施の形態２に係る０．７５倍アンダサンプリングにおけるモアレ成分を示す図である。
【図９】図９は、実施の形態３に係る画質調整システムの構成を示すブロック図である。
【図１０】図１０は、実施の形態３に係る撮像装置の空間サンプリング周波数を説明するための図である。
【図１１Ａ】図１１Ａは、実施の形態３に係る２．０倍オーバサンプリングにおけるモアレ成分を示す図である。
【図１１Ｂ】図１１Ｂは、実施の形態３に係る１．７５倍オーバサンプリングにおけるモアレ成分を示す図である。
【図１２Ａ】図１２Ａは、実施の形態３に係る２．０倍オーバサンプリングにおけるモアレ除去後の第一の画像の空間周波数特性を示す図である。
【図１２Ｂ】図１２Ｂは、実施の形態３に係る１．７５倍オーバサンプリングにおけるモアレ除去後の第二の画像の空間周波数特性を示す図である。
【図１２Ｃ】図１２Ｃは、実施の形態３に係る合成後の空間周波数特性を示す図である。
【図１３】図１３は、実施の形態３に係る画質調整装置の処理の一例を示すフローチャートである。
【発明を実施するための形態】
【００１４】
以下、実施の形態にについて、図面を参照しながら説明する。なお、以下で説明する実施の形態は、いずれも包括的または具体的な例を示すものである。以下の実施の形態で示される数値、形状、材料、構成要素、構成要素の配置位置、構成要素の接続形態、ステップ、及び、ステップの順序などは、一例であり、本開示を限定する主旨ではない。また、以下の実施の形態における構成要素のうち、最上位概念を示す独立請求項に記載されていない構成要素については、任意の構成要素として説明される。
【００１５】
なお、各図は模式図であり、必ずしも厳密に図示されたものではない。また、各図において、実質的に同一の構成に対しては同一の符号を付しており、重複する説明は省略または簡略化される場合がある。
【００１６】
（実施の形態１）
以下、実施の形態１に係る画質調整システムについて、図１〜図５Ｃを参照しながら説明する。
【００１７】
［１−１．画質調整システムの構成］
まず、実施の形態１に係る画質調整システムの構成について、図１〜図３Ｂを参照しながら説明する。
【００１８】
図１は、実施の形態１に係る画質調整システム１０の概略構成を示す図である。図２は、実施の形態１に係る画質調整システム１０の構成を示すブロック図である。
【００１９】
図１及び図２に示すように、実施の形態１に係る画質調整システム１０は、表示パネル２０と、撮像装置３０と、画質調整装置４０とを備える。画質調整装置４０は、表示パネル２０及び撮像装置３０と通信可能に接続されている。
【００２０】
表示パネル２０は、所定の画像などを表示する表示モジュールであり、表示部２１と、制御部２２と、記憶部２３とを有する。
【００２１】
表示部２１は、制御部２２からの画像信号に基づいて画像を表示する液晶パネル又は有機ＥＬパネルであり、複数の画素が格子状に規則的に配置されている。なお、表示パネル２０は、液晶パネルを備える場合、さらに当該液晶パネルに光を出射するバックライト（光源）を備えていてもよい。表示部２１は、例えば、液晶パネルとバックライトとを有していてもよい。
【００２２】
表示部２１を構成する複数の画素のそれぞれは、複数のサブ画素を有する。例えば、複数のサブ画素はそれぞれ、異なる色の光を出射する。本実施の形態では、画素は３つのサブ画素から形成されている。具体的には、複数の画素のそれぞれは、赤色、緑色、及び、青色を出射するサブ画素（ＲＢＧサブピクセル）を有する。
【００２３】
制御部２２は、画質調整装置４０の点灯制御部４２から取得した表示データを表示部２１に表示させる。また、制御部２２は、表示パネル２０の表示ムラを補正するための補正テーブルを用いて画像を表示するための表示データを補正して、補正後の表示データを表示部２１に出力する。具体的には、制御部２２は、入力される画像信号のＲＧＢレベルを、記憶部２３から読み出した補正テーブルに基づいて補正する。なお、画質調整装置４０の点灯制御部４２から取得した表示データにより表示される画像は、表示ムラを測定するための測定用画像の一例である。また、以降の説明において、表示パネル２０の表示ムラは、輝度ムラである例について説明する。
【００２４】
記憶部２３は、表示パネルの輝度ムラを補正するための補正テーブルを記憶する。例えば、記憶部２３は、画質調整装置４０の補正テーブル生成部４５が生成した補正テーブルを記憶する。なお、記憶部２３は、画質調整システム１０における処理が行われる前は、補正テーブルを記録していない。
【００２５】
制御部２２及び記憶部２３は、表示パネル２０の表示ムラを補正するために当該表示パネルに組み込まれる。例えば、制御部２２は、タイミングコントローラにて構成され、記憶部２３は、揮発性または不揮発性メモリにて構成される。
【００２６】
撮像装置３０は、表示部２１が表示する画像を撮影する。撮像装置３０は、例えば、ＣＣＤ等の規則的な格子パターンで配列された受光素子（画素）により撮像画像を取得するカメラなどにより実現される。撮像装置３０は、例えば、モノクロ画像を撮像するモノクロ撮像素子を有するカメラ（モノクロカメラ）である。モノクロ撮像素子は、例えば、１つの受光素子により、１つの画素が形成される素子である。
【００２７】
格子状の画素からなる表示部２１を格子状に配置された受光素子を有する撮像装置３０で撮像すると、撮像画像にはモアレが発生することがある。本実施の形態では、撮像装置３０が表示部２１を撮像するときに表示部２１に表示させる測定用画像、及び、フィルタなどにより、当該モアレの影響を抑制する。
【００２８】
撮像装置３０は、例えば、製造ラインに組み込まれ、表示パネル２０ごとに当該表示パネル２０が表示する測定用画像を撮像し、撮像して得られた撮像画像を画質調整装置４０に出力する。
【００２９】
画質調整装置４０は、撮像装置３０から取得した撮像画像を用いて、当該表示部２１の輝度ムラを抑制するための補正テーブルを生成する。また、画質調整装置４０は、生成した補正テーブルを、表示パネル２０の記憶部２３に記憶させる。画質調整装置４０は、例えば、表示パネル２０ごとに取得した撮像画像に基づいて、当該表示パネル２０に対応した補正テーブルを生成する。画質調整装置４０は、撮像制御部４１と、点灯制御部４２と、モアレ抑制部４３と、補正テーブル生成部４５とを有する。
【００３０】
撮像制御部４１は、表示パネル２０を撮像するための、撮像装置３０の空間サンプリング周波数を制御する。撮像制御部４１は、例えば、撮像装置３０が備えるレンズの倍率を変更することで、撮像装置３０の空間サンプリング周波数を変更してもよい。撮像制御部４１は、レンズの倍率を小さくすることで、撮像装置３０の空間サンプリング周波数を小さくすることができる。また、撮像制御部４１は、撮像装置３０の撮像の開始及び停止などの制御を行ってもよい。
【００３１】
なお、撮像装置３０の空間サンプリング周波数を制御する方法は、上記に限定されない。撮像装置３０が表示パネル２０との距離を変更可能な可動台に設置されており、撮像制御部４１は、当該可動台を制御して、撮像装置３０と表示パネル２０との距離を変更することで空間サンプリング周波数を変更してもよい。撮像制御部４１は、撮像装置３０と表示パネル２０との距離を大きくすることで、空間サンプリング周波数を小さくすることができる。なお、撮像装置３０の空間サンプリング周波数は、撮像装置３０の撮像素子（例えばＣＣＤイメージセンサ）が有する複数の画素の、表示パネル２０の複数のサブ画素２１ａ〜２１ｃの並び方向における画素ピッチにも依存する。すなわち、撮像装置３０の空間サンプリング周波数は、撮像素子の画素ピッチ、及び、撮像装置３０のレンズの倍率または撮像装置３０と表示パネル２０との距離で決定することができる。例えば、撮像素子の画素ピッチが撮影対象となる表示パネル２０の並び方向における画素ピッチと等しく、レンズの倍率または撮像装置３０と表示パネル２０との距離が撮像素子の画素と表示パネル２０の画素とが１対１で対応するように調整すれば、撮像装置３０の空間サンプリング周波数は表示パネル２０の空間周波数と一致する。また、以降において、撮像装置３０の空間サンプリング周波数を、単にサンプリング周波数とも記載する。
【００３２】
ここで、撮像制御部４１が制御する撮像装置３０の空間サンプリング周波数について、図３Ａを参照しながら説明する。
【００３３】
図３Ａは、実施の形態１に係る撮像装置３０の空間サンプリング周波数を説明するための図である。なお、図３Ａでは、一次元状に並んで配列された画素のみを示している。
【００３４】
図３Ａに示すように、表示パネル２０は、３つのサブ画素２１ａ〜２１ｃで形成される画素２１ｄ（１画素）を複数有する。例えば、サブ画素２１ａは赤色を発し、サブ画素２１ｂは緑色を発し、サブ画素２１ｃは青色を発する。なお、隣り合うサブ画素の間の領域（ギャップ）には、ブラックマスクが形成されている。
【００３５】
図３Ａでは、「Ｄｏｔ  ｂｙ  ｄｏｔ  サンプリング」、及び、「１．５倍オーバサンプリング」の２つのサンプリング周波数を示している。「Ｄｏｔ  ｂｙ  ｄｏｔ  サンプリング」は、表示パネル２０の１画素を、撮像装置３０の１画素で撮像する場合を示している。表示パネル２０の画素ピッチｐと、撮像装置３０が表示パネル２０をサンプリングするピッチ（図３Ａに示す矢印参照）とを等しくした場合を示している。すなわち、撮像装置３０のサンプリング周波数を、表示パネル２０の画素ピッチｐに対応するパネル空間周波数と一致させた場合を示している。
【００３６】
なお、表示パネル２０のパネル空間周波数と撮像装置３０のサンプリング周波数とが完全に一致している場合モアレは生じないが、表示パネル２０の撓み、及び、撮像装置３０のレンズの収差などにより、完全に一致させることが難しい。そのため、本実施の形態では、撮像装置３０のサンプリング周波数を変更し、モアレ成分の一部を高周波側にシフトさせることで、表示ムラの空間周波数領域に含まれるモアレ成分を低減する。
【００３７】
「１．５倍オーバサンプリング」は、撮像装置３０のサンプリング周波数を、表示パネル２０のパネル空間周波数の１．５倍にした場合を示している。つまり、撮像装置３０は、表示パネル２０の画素ピッチｐより、細かいピッチで表示パネル２０のサンプリングを行う。本実施の形態では、撮像制御部４１は、撮像装置３０のサンプリング周波数を表示パネル２０のパネル空間周波数の１．５倍に制御する例について説明するが、撮像装置３０のサンプリング周波数を表示パネル２０のパネル空間周波数以上となるように制御してもよい。なお、表示パネル２０の画素ピッチｐ及びパネル空間周波数は、固定の値である。また、撮像装置３０のサンプリング周波数は、撮像制御部４１の制御に応じて変化する値である。本実施の形態による撮像装置３０のサンプリング周波数は、例えば、撮像装置３０の画素ピッチと、撮像装置３０のレンズ倍率とにより定まる。
【００３８】
図２を再び参照して、点灯制御部４２は、撮像装置３０が表示パネル２０を撮像するときの表示パネル２０の表示状態を制御する。本実施の形態では、点灯制御部４２が表示パネル２０に表示させる画像（測定用画像）に特徴を有する。
【００３９】
ここで、点灯制御部４２が表示パネル２０に表示させる測定用画像について、図３Ｂを参照しながら説明する。
【００４０】
図３Ｂは、実施の形態１に係る表示パネル２０の点灯状態を説明するための図である。図３Ｂでは、点灯しているサブ画素（例えば、サブ画素２１ｂ）を白色背景で示しており、消灯しているサブ画素（例えば、サブ画素２１ａ及び２１ｃ）をドットハッチングで示している。なお、ここでの消灯とは、サブ画素の輝度の最大値の数％程度の輝度で点灯していることを含む。つまり、消灯とは、サブ画素の輝度が当該サブ画素の輝度の最低値であることに限定されない。
【００４１】
図３Ｂに示すように、点灯制御部４２は、複数の画素それぞれにおいて、当該画素が有する複数のサブ画素２１ａ〜２１ｃの一部のサブ画素を点灯させる。つまり、点灯制御部４２は、複数のサブ画素２１ａ〜２１ｃを間引き点灯させる。点灯制御部４２は、例えば、サブ画素２１ａ〜２１ｃのうち１つのサブ画素のみを点灯させる。本実施の形態では、点灯制御部４２は、サブ画素２１ｂ（つまり緑色）のみを点灯させる（図３Ｂに示す「緑ラスタ表示」）。具体的には、点灯制御部４２は、複数のサブ画素２１ｂのそれぞれが同じ階調値を含む画像信号を制御部２２に出力する。そのため、サブ画素２１ｂに対応する位置の明るさが明るくなる。点灯制御部４２が上記のような制御を行うことで、表示パネル２０は測定用画像として、全面が緑色の画像を表示する。撮像装置３０は、緑色に対する感度が高いので、Ｓ／Ｎが向上した受光信号から撮像画像を生成することができる。
【００４２】
なお、点灯制御部４２は、表示パネル２０に出力する画像信号に含まれる階調値（画素信号のビット幅が１０ｂｉｔである場合、０〜１０２３）を、順次変更してもよい。点灯制御部４２は、例えば、撮像装置３０が測定用画像を表示する表示パネル２０を撮像するたびに、当該測定用画像を表示するための階調値を順次変更してもよい。つまり、画質調整装置４０は、１台の表示パネル２０に対して、階調値が異なる複数の撮像画像を取得してもよい。
【００４３】
図２を再び参照して、モアレ抑制部４３は、測定用画像を表示した表示パネル２０を撮像した撮像画像を撮像装置３０から取得すると、当該撮像画像に含まれるモアレを除去する処理を行う。モアレ抑制部４３は、フィルタ４４を有する。
【００４４】
フィルタ４４は、撮像装置３０から取得した撮像画像からモアレを除去するモアレ除去用の電気フィルタ（例えば、ローパスフィルタ）である。フィルタ４４は、デジタルフィルタ又はＦＦＴフィルタなどにより実現される。フィルタ４４は、第一の電気フィルタの一例である。
【００４５】
モアレが除去された撮像画像は、補正テーブル生成部４５に出力される。なお、フィルタ４４は、少なくともパネル空間周波数の１／２以上の空間周波数成分を除去する。言い換えると、フィルタ４４は、表示ムラが存在する領域の空間周波数成分を通過させるよう設定されている。
【００４６】
補正テーブル生成部４５は、モアレが除去された撮像画像を取得すると、ムラ測定を実行し、当該ムラ測定の結果から補正テーブル（例えば、ルックアップテーブル）を生成し、制御部２２に出力する。ムラ測定とは、点灯制御部４２が表示パネル２０に出力した画像信号に含まれる階調値と、当該階調値における撮像画像から取得される輝度とを対応付けることを含む。また、補正テーブルとは、表示パネル２０の表示ムラを補正するためのテーブルであり、階調値と輝度との対応関係から当該階調値における輝度を目標特性（例えば、ガンマ値２．２のガンマ特性）に近づけるための補正値（もしくは補正係数）などを含むテーブルである。なお、補正テーブルは、表示パネル２０の画素ごとに補正値を有していてもよいし、複数の画素（画素ブロック）ごとに補正値を有していてもよい。
【００４７】
上記のような画質調整装置４０は、例えば、パーソナルコンピュータにより実現される。
【００４８】
［１−２．画質調整システムの処理］
次に、上記の画質調整システム１０の処理について、図４〜図５Ｃを参照しながら説明する。
【００４９】
図４は、実施の形態１に係る画質調整装置４０の処理の一例を示すフローチャートである。
【００５０】
図４に示すように、まず、画質調整装置４０は、表示パネル２０の表示を、一部のサブ画素（例えば、サブ画素２１ｂ）が点灯した測定用画像に制御する（Ｓ１０）。具体的には、点灯制御部４２は、表示パネル２０の複数のサブ画素２１ａ〜２１ｃのうちサブ画素２１ｂのみが点灯した測定用画像を表示パネルに表示させる。これにより、表示パネル２０は、例えば、全面が緑色の画像を表示する。なお、点灯制御部４２は、複数のサブ画素２１ｂそれぞれに対する階調値が同じである画像信号を表示パネル２０に出力する。
【００５１】
次に、画質調整装置４０は、撮像装置３０のサンプリング周波数を制御する（Ｓ１１）。具体的には、撮像制御部４１は、撮像装置３０のサンプリング周波数が表示パネル２０のパネル空間周波数の１．５倍となるように、撮像装置３０が備えるレンズの倍率を制御する。そして、撮像装置３０は、測定用画像を表示した表示パネル２０を撮像する。なお、パネル空間周波数の１．５倍となるサンプリング周波数は、第一の空間サンプリング周波数の一例である。
【００５２】
次に、画質調整装置４０は、撮像装置３０が表示パネル２０を撮像した撮像画像（第一の画像の一例）の空間周波数分布を生成する（Ｓ１２）。具体的には、モアレ抑制部４３は、撮像装置３０から取得した撮像画像から当該撮像画像の空間周波数分布を生成する。
【００５３】
ここで、モアレ抑制部４３が生成する空間周波数分布について、図５Ａ〜図５Ｃを参照しながら説明する。
【００５４】
図５Ａは、実施の形態１に係る１．５倍オーバサンプリング時におけるモアレ成分の除去を説明するための図である。図５Ａの縦軸は、振幅（強度）を示しており、横軸は空間周波数を示す。ｆｓは、撮像装置３０のサンプリング周波数を示しており、当該サンプリング周波数ｆｓは、パネル空間周波数ｆｄの１．５倍である。なお、図５Ａに示す「ムラ領域」は、製造ばらつきに起因した表示パネル２０の輝度ムラの分布を示しており、当該ムラ領域は、表示パネル２０のパネル空間周波数ｆｄの１／２以下の空間周波数領域に生じる。
【００５５】
図５Ａに示す縦軸と平行な方向に延びる３本の破線矢印（基本波成分（基本波）、２倍高調波成分（２倍高調波）、及び、３倍高調波成分（３倍高調波））は、表示パネル２０の表示ムラを除く明るさの濃淡（例えば、ブラックマスクに起因する濃淡）により生じる成分である。つまり、図５Ａに示す基本波、２倍高調波、及び、３倍高調波は、表示パネル２０の構造に起因して生じる成分である。図５Ａに示す縦軸と平行な方向に延びる２本の実線矢印（モアレ１及びモアレ２）は、基本波、２倍高調波、及び、３倍高調波がナイキスト周波数（折り返し周波数）で折り返された成分を示す。本実施の形態では、基本波、２倍高調波、及び、３倍高調波がナイキスト周波数で折り返された空間周波数成分をモアレ成分（モアレ１及びモアレ２）として記載する。なお、図５Ａでは、基本波、２倍高調波、３倍高調波、モアレ１、及び、モアレ２を簡易的に矢印で示しているが、所定の空間周波数幅を有する成分である。また、基本波、２倍高調波、及び、３倍高調波は、表示パネル２０の構造に起因して生じる空間周波数成分の一例として図示している。
【００５６】
基本波は、空間周波数が２／３ｆｓ（＝ｆｄ）に生じる周波数成分であり、表示パネル２０が緑ラスタ表示を行っていることで生じる成分である。２倍高調波は基本波の２倍の空間周波数（４／３ｆｓ）に生じる高調波成分であり、３倍高調波は基本波の３倍の空間周波数（２ｆｓ）に生じる高調波成分である。２倍高調波及び３倍高調波は、基本波の高調波成分であり、減衰している。つまり、２倍高調波及び３倍高調波の振幅は、基本波の振幅より小さくなる。
【００５７】
なお、４倍高調波などの高調波成分も生じるが、図５Ａの「光学系の空間周波数特性」に示すように高周波成分はフィルタリングされるので、図示を省略する。撮像装置３０の光学系（例えば、レンズ）は、例えば、ローパスフィルタに似た特性を有する。なお、図５Ａに示す「光学系の空間周波数特性」は、撮像装置３０の光学系の空間周波数特性の傾向を示すためのイメージ図である。「光学系の空間周波数特性」は、光学系の空間周波数特性の最大値を基準とした比を図示している。また、以降の図においては、「光学系の空間周波数特性」の図示を省略する。
【００５８】
空間周波数１／３ｆｓ（１／２ｆｄ）に生じるモアレ１は、基本波及び２倍高調波がナイキスト周波数で折り返すことで生じる（図５Ａの横方向の破線矢印を参照）。モアレ１の振幅は、基本波及び２倍高調波の振幅により定まる。また、空間周波数ゼロに生じるモアレ２は、３倍高調波がナイキスト周波数で折り返すことで生じる（図５Ａの横方向の破線矢印を参照）。モアレ２の振幅は、基本波、２倍高調波、及び、３倍高調波のうち、最も振幅が小さい３倍高調波の振幅により定まる。つまり、ムラ領域内に存在するモアレ２の振幅は、モアレ１の振幅より小さい。
【００５９】
ここで、比較例として、表示パネル２０のサブ画素２１ａ〜２１ｃの全てが点灯している状態で撮像装置３０が表示パネル２０を撮像したときの画像の空間周波数分布について、図５Ｂ及び図５Ｃを参照しながら説明する。
【００６０】
図５Ｂは、比較例に係る表示パネル２０の点灯状態を説明するための図である。図５Ｃは、比較例に係る１．５倍オーバサンプリング時におけるモアレ成分を示す図である。
【００６１】
図５Ｂに示すように、比較例に係る表示パネル２０は、サブ画素２１ａ〜２１ｃの全てが点灯した白ラスタ表示を行う。そのため、サブ画素２１ａ〜２１ｃのそれぞれに対応する位置の明るさが明るくなる。なお、白ラスタ表示は、測定用画像には含まれない。
【００６２】
図５Ｃに示すように、図５Ａと同様、空間周波数２／３ｆｓに基本波、空間周波数４／３ｆｓに２倍高調波、及び、空間周波数２ｆｓに３倍高調波が生じる。基本波、２倍高調波、及び、３倍高調波はそれぞれ、表示パネル２０の表示ムラを除く明るさの濃淡（例えば、ブラックマスクに起因する濃淡）による周波数成分が生じている。３倍高調波の振幅は、図５Ａに示す３倍高調波の振幅より大きい。これにより、当該周波数成分の折り返しにより生じるモアレ成分（モアレ４）の振幅は、図５Ａのモアレ２の振幅より大きくなる。これは、表示パネル２０のサブ画素２１ａ〜２１ｃのそれぞれが点灯していることにより、表示パネル２０の構造に起因する空間周波数成分が、空間周波数２／３ｆｓ、４／３ｆｓ、及び、２ｆｓのそれぞれに生じるためである。これにより、３倍高周波がナイキスト周波数で折り返された周波数成分であるモアレ４の振幅が大きくなる。つまり、ムラ領域内に存在するモアレ成分が大きくなる。
【００６３】
上記のように、複数のサブ画素２１ａ〜２１ｃのうち、一部のサブ画素（例えば、サブ画素２１ｂ）のみを点灯した表示パネル２０を撮像装置３０が撮像して得られる画像は、空間周波数２ｆｓに生じる空間周波数成分が低減された画像である。つまり、当該空間周波数成分が折り返すことで生成されるモアレ成分を低減することができる。本実施の形態では、空間周波数ゼロに生じるモアレ２を低減することができる。
【００６４】
図４を再び参照して、次に、撮像画像からｆｄ／２以上の空間周波数成分を除去する（Ｓ１３）。具体的には、フィルタ４４により、撮像画像からｆｄ／２以上の空間周波数成分が除去される。
【００６５】
図５Ａのフィルタ４４の空間周波数特性に示すように、ｆｓ／３（ｆｄ／２）以上の空間周波数成分が、撮像画像から除去される。これにより、モアレ１、基本波、２倍高調波、及び、３倍高調波の成分は除去されるので、撮像画像にはモアレ２の成分が残る。
【００６６】
図４を再び参照して、ステップＳ１３でｆｄ／２以上の空間周波数成分が除去された撮像画像を用いて、表示ムラを補正する補正テーブルが生成される（Ｓ１４）。具体的には、補正テーブル生成部４５は、モアレ抑制部４３から撮像画像を取得すると、ムラ測定を実行し、当該ムラ測定の結果から補正テーブルを生成する。モアレ抑制部４３から取得した撮像画像にはモアレ２の成分が含まれるが、当該モアレ２は振幅が小さく影響が少ないので精度のよい補正テーブルを生成することができる。
【００６７】
補正テーブル生成部４５は、サブ画素２１ｂのみが点灯した状態で撮像された撮像画像から、当該サブ画素２１ｂを有する画素２１ｄの補正値を算出する。つまり、１画素に１つの補正値が対応付けられる。言い換えると、サブ画素２１ａ〜２１ｃは、同一の補正値を有する。これにより、表示パネル２０の輝度ムラを抑制することができる。
【００６８】
なお、図５Ａに示すように、フィルタ４４により撮像画像からｆｄ／２以上の空間周波数成分は除去されるが、ムラ領域の空間周波数成分は除去されていない。つまり、補正テーブル生成部４５は、表示パネル２０に生じる低周波域の輝度ムラから高周波域の輝度ムラまでを補正することができる補正テーブルを生成することができる。
【００６９】
次に、補正テーブル生成部４５は、生成した補正テーブルを表示パネルに書き込む（Ｓ１５）。具体的には、補正テーブル生成部４５は、表示パネル２０の記憶部２３に生成した補正テーブルを記憶する。
【００７０】
表示パネル２０は、記憶部２３に記憶されている補正テーブルに基づいて、入力される画像信号のＲＧＢレベルを補正することで、輝度ムラが低減された表示を行うことができる。
【００７１】
［１−３．効果など］
以上説明したように、画質調整装置４０は、複数の画素２１ｄを有し、当該複数の画素２１ｄのそれぞれが複数のサブ画素２１ａ〜２１ｃの並びで構成される表示パネル２０が、複数のサブ画素２１ａ〜２１ｃのうちの一部が点灯した測定用画像を表示するように表示パネル２０を制御する点灯制御部４２と、複数のサブ画素２１ａ〜２１ｃの並び方における画素２１ｄの画素ピッチｐで定まるパネル空間周波数をｆｄとしたときに、表示パネル２０に表示された測定用画像を撮像装置３０が撮像して得られる撮像画像（第一の画像の一例）から、少なくともｆｄ／２以上の空間周波数成分を除去するフィルタ４４（第一の電気フィルタの一例）と、を備える。
【００７２】
これにより、撮像装置３０が撮像して得られる撮像画像に含まれる、基本波、２倍高調波、及び、３倍高調波のうち２倍高調波及び３倍高調波の成分を、複数のサブ画素２１ａ〜２１ｃの全てが点灯していたときに比べ低減することができる。また、撮像装置３０の光学系（例えば、レンズ）の空間周波数特性が、ローパスフィルタに似た特性を有する場合、３倍高調波はさらに低減される。つまり、３倍高調波が折り返すことで生じる、ムラ領域内に存在するモアレ２を低減することができる。よって、表示パネル２０と撮像装置３０とを所定の相対角度に合わせることなく、表示パネル２０の点灯状態を変更するといった簡易な方法で、撮像画像に含まれるモアレを低減することができる。また、撮像装置３０が撮像して得られた画像に含まれるｆｄ／２以上の空間周波数成分は、フィルタ４４により除去される。これらにより、本実施の形態に係る画質調整装置４０は、簡易に撮像画像に含まれるモアレをより低減することができる。画質調整装置４０は、簡易に撮像画像に含まれる表示パネル２０の表示ムラの空間周波数成分を高精度で得ることができる。
【００７３】
また、撮像装置３０の空間サンプリング周波数を撮像装置３０の画素ピッチに基づくサンプリング周波数ｆｓ（第一の空間サンプリング周波数の一例）に制御する撮像制御部４１をさらに備える。撮像制御部４１は、パネル空間周波数ｆｄに対するサンプリング周波数ｆｓの倍率をα１としたときに、当該倍率α１が１よりも大きな値となるように、サンプリング周波数ｆｓを制御する。撮像制御部４１は、例えば、倍率α１が１．５≦α１≦２となるようにサンプリング周波数ｆｓを制御する。
【００７４】
これにより、倍率α１が１．５である場合、基本波及び２倍高調波の折り返し成分（図５Ａに示すモアレ１）を表示ムラの空間周波数（ｆｄ／２以下）の帯域外にずらすことができる。折り返し部分は、フィルタ４４により除去することがでる。また、３倍高調波の折り返し成分（図５Ａに示すモアレ２）は、複数のサブ画素２１ａ〜２１ｃのうちの一部のみを点灯させていること、及び、撮像装置３０の光学系により高周波が低減されることにより、表示ムラの測定結果に対する影響を無視できるレベルまで抑圧することができる。よって、撮像画像に含まれるモアレをさらに低減することができる。また、撮像装置３０に要求される画素数を、倍率α１が１．５より大きい場合に比べ抑えることができる。
【００７５】
より一般化すれば、α１＞１の場合、最も影響の大きい基本波の折り返し成分（図５Ａに示すモアレ１）は、
ＡＢＳ（ｆｓ／α１−ｆｓ）            ・・・（式１）
と表せる。最も影響の大きい基本波の折り返し成分を表示ムラの空間周波数（ｆｄ／２）の帯域外にずらすためには、
（ｆｄ／２）≦ＡＢＳ（ｆｓ／α１−ｆｓ）            ・・・（式２）
を満たせばよく、上記の仮定よりα１＝ｆｓ／ｆｄを用いて、α１について解くと、
１．５≦α１            ・・・（式３）
が得られる。一方、α１＞２の場合には、高解像度の撮像素子が必要となるため、コストの観点で劣る。したがって、例えば、倍率α１は、１．５≦α１≦２となるように決定されてもよい。
【００７６】
また、少なくともｆｄ／２以上の空間周波数成分が除去された第一の画像を用いて、表示パネル２０の輝度を補正するための補正テーブルを生成する補正テーブル生成部４５を備える。
【００７７】
これにより、表示パネル２０の輝度ムラを抑制することができる。
【００７８】
また、以上説明したように、画質調整方法は、複数の画素２１ｄを有し、当該複数の画素２１ｄのそれぞれが複数のサブ画素２１ａ〜２１ｃの並びで構成される表示パネル２０が、複数のサブ画素２１ａ〜２１ｃのうちの一部が点灯した測定用画像を表示するように表示パネル２０を制御するステップ（Ｓ１０）と、複数のサブ画素２１ａ〜２１ｃの並び方における画素２１ｄの画素ピッチｐで定まるパネル空間周波数をｆｄとしたときに、表示パネル２０に表示された測定用画像を撮像装置３０が撮像して得られる画像から、少なくともｆｄ／２以上の空間周波数成分を除去するステップ（Ｓ１３）と、を含む。
【００７９】
これにより、画質調整装置４０と同様の効果を奏する。
【００８０】
（実施の形態１の変形例）
以下、実施の形態１の変形例に係る画質調整システムについて、図６を参照しながら説明する。なお、本変形例では、実施の形態１と異なる点について説明し、実施の形態１と同様の構成については説明を省略又は簡略化する場合がある。
【００８１】
図６は、実施の形態１の変形例に係る画質調整システム１０ａの構成を示すブロック図である。
【００８２】
図６に示すように、本変形例では、撮像装置３０ａの構成が実施の形態１と異なる。具体的には、撮像装置３０ａが光学フィルタ３１を備える点が異なる。
【００８３】
光学フィルタ３１は、例えば、撮像装置３０ａのサンプリング周波数ｆｓの１／２以上の空間周波数成分を除去するローパスフィルタである。光学フィルタ３１は、複屈折率板を用いた光学ローパスフィルタ、又は、回折格子板を用いた光学ローパスフィルタなどにより実現される。複屈折率板を用いた光学ローパスフィルタは、例えば、撮像装置３０ａのレンズと受光素子との間に配置される。また、回折格子を用いた光学ローパスフィルタは、例えば、レンズの表示パネル２０側（レンズの前方）に配置される。
【００８４】
以上説明したように、画質調整システム１０ａは、画質調整装置４０と、表示パネル２０を撮像して得られた画像を画質調整装置４０に出力する撮像装置３０ａとを備える。撮像装置３０ａは、当該撮像装置３０ａのサンプリング周波数ｆｓの１／２以上の空間周波数成分を除去する光学フィルタ３１を有する。
【００８５】
これにより、撮像装置３０ａのサンプリング周波数ｆｓの１／２（すなわち、ナイキスト周波数）以上の空間周波数成分を低減することができるので、撮像装置３０ａが生成する撮像画像に含まれるモアレをさらに低減することができる。
【００８６】
（実施の形態２）
［２−１．画質調整システムの構成］
以下、実施の形態２に係る画質調整システムについて、図７及び図８を参照しながら説明する。なお、実施の形態２では、実施の形態１と異なる点について説明し、実施の形態１と同様の構成については説明を省略又は簡略化する場合がある。
【００８７】
実施の形態２は、実施の形態１と撮像装置３０のサンプリング周波数が異なる。具体的には、撮像制御部４１が撮像装置３０のサンプリング周波数ｆｓを表示パネル２０のパネル空間周波数ｆｄより小さな値に制御する。
【００８８】
図７は、実施の形態２に係る撮像装置３０の空間サンプリング周波数を説明するための図である。なお、図７に示す「Ｄｏｔ  ｂｙ  ｄｏｔ  サンプリング」は、実施の形態１と同様であり、説明を省略する。
【００８９】
図７に示すように、「０．７５倍アンダサンプリング」は、撮像装置３０のサンプリング周波数ｆｓを、表示パネル２０のパネル空間周波数ｆｄの０．７５倍にした場合を示している。つまり、撮像装置３０は、表示パネル２０の画素ピッチｐより、粗いピッチで表示パネル２０のサンプリングを行う。本実施の形態では、撮像制御部４１は、撮像装置３０のサンプリング周波数ｆｓをパネル空間周波数ｆｄの０．７５倍に制御する例について説明するが、撮像装置３０のサンプリング周波数ｆｓを表示パネル２０のパネル空間周波数ｆｄより小さくなるように別の制御をしてもよい。撮像制御部４１は、例えば、撮像装置３０のサンプリング周波数ｆｓをパネル空間周波数ｆｄの０．８倍に制御してもよい。
【００９０】
次に、撮像装置３０のサンプリング周波数ｆｓがパネル空間周波数ｆｄの０．７５倍である場合に当該撮像装置３０が表示パネル２０を撮像して得られた画像に含まれるモアレについて、図８を参照しながら説明する。
【００９１】
図８は、実施の形態２に係る０．７５倍アンダサンプリング時におけるモアレ成分を示す図である。
【００９２】
図８に示すように、基本波、２倍高調波、及び、３倍高調波は、表示パネル２０の構造に起因して生じる成分である。また、モアレ５及び６はそれぞれ、基本波、２倍高調波、及び、３倍高調波がナイキスト周波数で折り返された空間周波数成分を示す。
【００９３】
基本波は、空間周波数が４／３ｆｓ（＝ｆｄ）に生じる空間周波数成分であり、表示パネル２０が緑ラスタ表示を行っていることで生じる成分である。２倍高調波は基本波の２倍の空間周波数（８／３ｆｓ）に生じる高調波成分であり、３倍高調波は基本波の３倍の空間周波数（４ｆｓ）に生じる高調波成分である。２倍高調波及び３倍高調波は、基本波の高調波成分であり、減衰している。つまり、２倍高調波及び３倍高調波の振幅は、基本波の振幅より小さくなる。
【００９４】
空間周波数がｆｓ／３に生じるモアレ５は、基本波がナイキスト周波数で折り返すことで生じる成分及び２倍高調波がナイキスト周波数で折り返すことで生じる成分により生じる。モアレ５は、表示パネル２０の輝度ムラの空間周波数の領域（図８に示すムラ領域）内に存在する。モアレ５の振幅は、基本波、２倍高調波、及び、３倍高調波のうち、最も振幅が大きい基本波を含む振幅により定まる。つまり、モアレ５の振幅は、モアレ６より大きい。
【００９５】
空間周波数ゼロに生じるモアレ６は、３倍高調波がナイキスト周波数で折り返すことで生じる成分である。モアレ６は、表示パネル２０の輝度ムラの空間周波数の領域内に存在する。モアレ６の振幅は、基本波、２倍高調波、及び、３倍高調波のうち、最も振幅が小さい３倍高調波の振幅により定まる。つまり、モアレ６の振幅は、モアレ５より小さい。
【００９６】
なお、撮像装置３０のサンプリング周波数の設定値によって、基本波、２倍高調波、及び、３倍高調波が生じる空間周波数は異なる。つまり、モアレが生じる空間周波数が異なる。
【００９７】
基本波がナイキスト周波数で折り返したモアレ成分は、パネル空間周波数ｆｄに対するサンプリング周波数ｆｓの倍率をα１、係数をｎ１、サンプリング周波数をｆｓ１とすると、
ＡＢＳ（ｆｓ１／α１−ｎ１×ｆｓ１）            ・・・（式４）
により定まる。なお、ＡＢＳは、絶対値を求める関数であることを示す。ただし、式４における係数ｎ１は、
ＡＢＳ（ｆｓ１／α１−ｎ１×ｆｓ１）＜ｆｓ１／２            ・・・（式５）
を満たす整数である。本実施の形態では、ｆｓ１／α１は、４／３ｆｓである。また、式５を満たす係数ｎ１は、１となり、式４は１／３ｆｓとなる。つまり、図８に示すモアレ５は、基本波がナイキスト周波数で折り返したモアレ成分を含む。
【００９８】
２倍高調波がナイキスト周波数で折り返したモアレ成分は、
ＡＢＳ（２ｆｓ１／α１−ｎ１×ｆｓ１）            ・・・（式６）
により定まる。ただし、式６における係数ｎ１は、
ＡＢＳ（２ｆｓ１／α１−ｎ１×ｆｓ１）＜ｆｓ１／２          ・・・（式７）
を満たす整数である。本実施の形態では、２ｆｓ１／α１は、８／３ｆｓである。また、式７を満たす係数ｎ１は、３となり、式６は１／３ｆｓとなる。つまり、図８に示すモアレ５は、２倍高調波がナイキスト周波数で折り返したモアレ成分を含む。
【００９９】
３倍高調波がナイキスト周波数で折り返したモアレ成分は、
ＡＢＳ（３ｆｓ１／α１−ｎ１×ｆｓ１）            ・・・（式８）
により定まる。ただし、式８における係数ｎ１は、
ＡＢＳ（３ｆｓ１／α１−ｎ１×ｆｓ１）＜ｆｓ１／２          ・・・（式９）
を満たす整数である。本実施の形態では、３ｆｓ１／α１は、４ｆｓである。また、式９を満たす係数ｎ１は、４となり、式８はゼロとなる。つまり、図８に示すように、３倍高調波がナイキスト周波数で折り返したモアレ成分は、モアレ６となる。
【０１００】
上記のように、式４、式６、及び、式８に含まれる係数ｎ１は、互いに独立しており、例えば、少なくとも一部が異なる値であってもよい。なお、上記式４〜式９は一例であり、他の式によりモアレの空間周波数が算出されてもよい。
【０１０１】
式４、式６、及び、式８より、倍率α１が１より小さい場合、基本波、２倍高調波、及び、３倍高調波のモアレ成分は、１／２ｆｓより小さな空間周波数に生じる。そのため、当該モアレ成分を除去することで、撮像画像に生じるモアレを低減することができる。例えば、式４、式６、及び、式８のうち最も大きい値以上の空間周波数成分が、撮像画像から除去されてもよい。具体的には、フィルタ４４は、式４、式６、及び、式８のうち最も大きい値以上の空間周波数成分を、撮像画像から除去するフィルタであってもよい。本実施の形態では、フィルタ４４は、１／３ｆｓ以上の空間周波数成分を除去するローパスフィルタである。
【０１０２】
フィルタ４４は、基本波がナイキスト周波数で折り返したモアレの空間周波数以上の空間周波数領域を除去するフィルタであってもよい。具体的には、フィルタ４４は、式４で算出される値が最も小さくなるとき、つまり式４が１／２ｆｓを満たす係数ｎ１であるとき、当該値以上の空間周波数成分を除去する。
【０１０３】
なお、図８に示すように、ナイキスト周波数より大きな空間周波数領域（具体的には、１／２ｆｓ以上、１／２ｆｄ以下の周波数領域）に生じる表示ムラ成分も、ナイキスト周波数で折り返される。
【０１０４】
［２−２．効果］
以上説明したように、画質調整装置４０は、撮像装置３０の空間サンプリング周波数を当該撮像装置３０の画素ピッチで定まるサンプリング周波数ｆｓ（第一の空間サンプリング周波数の一例）に制御する撮像制御部４１をさらに備える。撮像制御部４１は、パネル空間周波数ｆｄに対するサンプリング周波数ｆｓ１（ｆｓ）の倍率をα１としたときに、当該倍率α１が１より小さな値となるようにサンプリング周波数ｆｓ１を制御する。また、フィルタ４４（第一の電気フィルタの一例）は、さらに、サンプリング周波数をｆｓ１としたときに、ＡＢＳ（ｆｓ１／α１−ｎ１×ｆｓ１）、ＡＢＳ（２ｆｓ１／α１−ｎ１×ｆｓ１）、および、ＡＢＳ（３ｆｓ１／α１−ｎ１×ｆｓ１）のうち最も大きい値以上の空間周波数成分を、撮像画像から除去する。ただし、ＡＢＳ（ｆｓ１／α１−ｎ１×ｆｓ１）における係数ｎ１は、ＡＢＳ（ｆｓ１／α１−ｎ１×ｆｓ１）＜ｆｓ１／２を満たす整数であり、ＡＢＳ（２ｆｓ１／α１−ｎ１×ｆｓ１）における係数ｎ１は、ＡＢＳ（２ｆｓ１／α１−ｎ１×ｆｓ１）＜ｆｓ１／２を満たす整数であり、ＡＢＳ（３ｆｓ１／α１−ｎ１×ｆｓ１）における係数ｎ１は、ＡＢＳ（３ｆｓ１／α１−ｎ１×ｆｓ１）＜ｆｓ１／２を満たす整数である。
【０１０５】
これにより、アンダサンプリング時において表示パネル２０の表示ムラの空間周波数領域（図８における「ムラ領域」）に存在するモアレ成分を、表示ムラへの影響を抑制しつつ除去することができる。また、３倍高調波のモアレ成分がムラ領域に存在していた場合、当該モアレ成分による影響は小さい。よって、画質調整装置４０は、撮像画像に生じるモアレをより低減することができる。また、撮像装置３０に必要な画素数を減らすことができるので、より安価な画質調整システム１０を実現することができる。
【０１０６】
また、フィルタ４４（第一の電気フィルタの一例）は、係数ｎ１をＡＢＳ（ｆｓ１／α１−ｎ１×ｆｓ１）が最も小さくなる値としたときに、ＡＢＳ（ｆｓ１／α１−ｎ１×ｆｓ１）以上の空間周波数成分を除去する。
【０１０７】
これにより、アンダサンプリング時においてモアレへの影響が大きな基本波の折り返しによるモアレ成分を除去することができる。よって、画質調整装置４０は、撮像画像に生じるモアレをさらに低減することができる。
【０１０８】
（実施の形態３）
以下、実施の形態３に係る画質調整システムについて、図９〜図１３Ｃを参照しながら説明する。なお、実施の形態３では、実施の形態１と異なる点について説明し、実施の形態１と同様の構成については説明を省略又は簡略化する場合がある。
【０１０９】
実施の形態３は、実施の形態１と撮像装置３０のサンプリング周波数が異なる。撮像装置３０は、複数種類のサンプリング周波数で表示パネル２０に表示された測定用画像を撮像する。具体的には、撮像制御部４１が撮像装置３０のサンプリング周波数ｆｓを複数の値に制御する。撮像装置３０は、測定用画像を表示する表示パネル２０を、異なる複数のサンプリング周波数で撮像する。なお、以下では、一例として、撮像装置３０は、２種類のサンプリング周波数で表示パネル２０に表示された測定用画像を撮像する例について説明する。
【０１１０】
［３−１．画質調整システムの構成］
まず、実施の形態３に係る画質調整システム１００の構成について、図９を参照しながら説明する。
【０１１１】
図９は、実施の形態３に係る画質調整システム１００の構成を示すブロック図である。
【０１１２】
図９に示すように、実施の形態３では、画質調整装置１４０のモアレ抑制部１４３の構成が実施の形態１に係る画質調整装置４０と異なる。具体的には、モアレ抑制部１４３は、フィルタ４４に加え、フィルタ１４４ａ、及び、フィルタ１４４ｂを有する。フィルタ１４４ａ及びフィルタ１４４ｂは、例えば、除去する空間周波数帯域の少なくとも一部が異なる電気フィルタである。
【０１１３】
フィルタ１４４ａは、異なるサンプリング周波数のうちの一方のサンプリング周波数で撮像された画像（例えば、第一の画像）から、表示パネル２０の表示ムラの空間周波数領域に存在するモアレ成分を除去するための電気フィルタである。また、フィルタ１４４ｂは、異なるサンプリング周波数のうちの他方のサンプリング周波数で撮像された画像（例えば、第二の画像）から、表示パネル２０の表示ムラの空間周波数領域に存在するモアレ成分を除去するための電気フィルタである。フィルタ１４４ａ及び１４４ｂは、例えば、バンドパスフィルタ、バンドエリミネーションフィルタ、ローパスフィルタ、又は、ハイパスフィルタなどで構成される。
【０１１４】
次に、撮像装置３０の空間サンプリング周波数について、図１０を参照しながら説明する。
【０１１５】
図１０は、実施の形態３に係る撮像装置３０の空間サンプリング周波数ｆｓを説明するための図である。なお、図１０に示す「Ｄｏｔ  ｂｙ  ｄｏｔ  サンプリング」は、実施の形態１と同様であり、説明を省略する。
【０１１６】
図１０に示すように、実施の形態３では、撮像装置３０は、「２．０倍オーバサンプリング」、及び、「１．７５倍オーバサンプリング」の２つのサンプリング周波数ｆｓで、表示パネル２０の撮像を行う。「２．０倍オーバサンプリング」は、撮像装置３０のサンプリング周波数ｆｓを、表示パネル２０のパネル空間周波数ｆｄの２．０倍にした場合を示している。つまり、撮像装置３０は、表示パネル２０の画素ピッチｐより、狭いピッチで表示パネル２０のサンプリングを行う。なお、パネル空間周波数の２．０倍となるサンプリング周波数は、第一の空間サンプリング周波数の一例である。また、本実施の形態では、パネル空間周波数ｆｄに対する第一の空間サンプリング周波数の倍率をα１としたときに、当該倍率α１は、整数となる。具体的には、倍率α１は２となる。
【０１１７】
「１．７５倍オーバサンプリング」は、撮像装置３０のサンプリング周波数ｆｓを、表示パネル２０のパネル空間周波数ｆｄの１．７５倍にした場合を示している。つまり、撮像装置３０は、表示パネル２０の画素ピッチｐより、狭いピッチで表示パネル２０のサンプリングを行う。なお、パネル空間周波数ｆｄの１．７５倍となるサンプリング周波数ｆｓは、第二の空間サンプリング周波数の一例である。また、本実施の形態では、パネル空間周波数ｆｄに対する第二の空間サンプリング周波数の倍率をα２としたときに、当該倍率α２は、非整数となる。具体的には、倍率α１は１．７５となる。
【０１１８】
なお、第一及び第二の空間サンプリング周波数は、上記に限定されない。第一及び第二の空間サンプリング周波数ともオーバサンプリングとなる空間サンプリング周波数である例について説明したが、これに限定されない。第一及び第二の空間サンプリング周波数のうち、少なくとも１つはアンダサンプリングとなる空間サンプリング周波数であってもよいし、パネル空間周波数ｆｄと同じであってもよい。また、倍率α１が整数であり、倍率α２は非整数であることに限定されない。倍率α１及び倍率α２の少なくとも１つが非整数であればよい。なお、アンダサンプリング時においては、倍率の整数及び非整数は、１／α１により決まる。
【０１１９】
次に、撮像装置３０のサンプリング周波数ｆｓがパネル空間周波数ｆｄの２．０倍及び１．７５倍である場合に当該撮像装置３０が表示パネル２０を撮像して得られた画像に含まれるモアレについて、図１１Ａ及び図１１Ｂを参照しながら説明する。
【０１２０】
図１１Ａは、実施の形態３に係る２．０倍オーバサンプリングにおけるモアレ成分を示す図である。具体的には、撮像装置３０が２．０倍オーバサンプリングを行ったときに撮像して得られた第一の画像における、空間周波数分布を示す図である。
【０１２１】
図１１Ａに示すように、基本波、２倍高調波、及び、３倍高調波は、表示パネル２０の構造に起因して生じる成分である。また、モアレ７及び８はそれぞれ、基本波、２倍高調波、及び、３倍高調波がナイキスト周波数で折り返された空間周波数成分を示す。
【０１２２】
基本波は、空間周波数が１／２ｆｓ（＝ｆｄ）に生じる空間周波数成分であり、表示パネル２０が緑ラスタ表示を行っていることで生じる成分である。２倍高調波は基本波の２倍の空間周波数（ｆｓ）に生じる高調波成分であり、３倍高調波は基本波の３倍の空間周波数（３／２ｆｓ）に生じる高調波成分である。２倍高調波及び３倍高調波は、基本波の高調波成分であり、減衰している。つまり、２倍高調波及び３倍高調波の振幅は、基本波の振幅より小さくなる。
【０１２３】
空間周波数１／２ｆｓに生じるモアレ７は、３倍高調波がナイキスト周波数で折り返すことで生じる成分である。モアレ７は、表示パネル２０の輝度ムラの空間周波数の領域（図１１Ａに示すムラ領域）外に存在する。モアレ７の振幅は、３倍高調波の振幅により定まる。つまり、モアレ７の振幅は、モアレ８より小さい。なお、空間周波数１／２ｆｓには基本波も存在するので、基本波とモアレ７とにより、１／２ｆｓに生じる空間周波数成分の振幅が定まる。
【０１２４】
空間周波数ゼロに生じるモアレ８は、２倍高調波がナイキスト周波数で折り返すことで生じる成分である。モアレ８は、表示パネル２０のムラ領域内に存在する。モアレ８の振幅は、２倍高調波の振幅により定まる。なお、モアレ８は、第一のモアレ成分の一例である。
【０１２５】
フィルタ１４４ａは、第一の画像からムラ領域内に生じるモアレ８を除去するための電気フィルタである。図１１Ａに示すように、フィルタ１４４ａは、空間周波数ゼロを含む空間周波数成分を除去する。フィルタ１４４ａは、例えば、空間周波数ゼロ付近から１／４ｆｓまでを通過帯域とするバンドパスフィルタである。言い換えると、フィルタ１４４ａは、空間周波数ゼロ付及び１／４ｆｓ（１／２ｆｄ）以上の空間周波数成分を除去する。つまり、フィルタ１４４ａは、少なくともｆｄ／２以上の空間周波数成分を除去する第一の電気フィルタ、及び、第一の空間サンプリング周波数で撮像された第一の画像に含まれるモアレの空間周波数成分であり、表示パネル２０の表示ムラの空間周波数の領域内に存在するモアレ８を除去する第二の電気フィルタの機能を有する電気フィルタである。なお、フィルタ１４４ａは、空間周波数ゼロ付近をカットオフ周波数とするハイパスフィルタであってもよい。この場合、フィルタ１４４ａは、モアレ８を除去する第二の電気フィルタの一例である。
【０１２６】
ここで、第一の電気フィルタ及び第二の電気フィルタとしてのフィルタ１４４ａにより所定の空間周波数成分が除去された第一の画像の空間周波数分布について、図１２Ａを参照しながら説明する。
【０１２７】
図１２Ａは、実施の形態３に係る２．０倍オーバサンプリングにおけるモアレ除去後の第一の画像の空間周波数特性を示す図である。
【０１２８】
図１２Ａに示すように、第一の画像から空間周波数ゼロ付近及び高周波成分（例えば、１／２ｆｄ以上）が除去される。なお、図１２Ａに示す空間周波数分布では、空間周波数ゼロ付近のデータがないので、表示パネル２０の正確な表示ムラデータが得られない。そこで、撮像装置３０は、第一の空間サンプリング周波数とは異なる第二の空間サンプリング周波数で、再度撮像を行う。
【０１２９】
なお、第二の空間サンプリング周波数は、当該第二の空間サンプリング周波数におけるムラ領域に生じるモアレの空間周波数が第一の空間サンプリング周波数におけるムラ領域に生じるモアレの空間周波数とは異なる空間周波数に生じるように設定される。また、上記のように、倍率α１（アンダサンプリング時は１／α１）が整数である場合、モアレ成分は主に空間周波数ゼロ付近に生じる。倍率α２（アンダサンプリング時は、１／α２）が非整数である場合、モアレ成分は主に空間周波数ゼロ以外に生じる。例えば、倍率α２が非整数である場合、倍率α２が整数であるときに比べて、空間周波数がゼロ付近に生じるモアレ成分の振幅は小さくなる。よって、倍率α１が整数である場合、倍率α２が非整数となるように、第二の空間サンプリング周波数が設定されるとよい。本実施の形態では、第二のサンプリング周波数は、パネル空間周波数の１．７５倍である。
【０１３０】
図１１Ｂは、実施の形態３に係る１．７５倍オーバサンプリング時におけるモアレ成分を示す図である。具体的には、撮像装置３０が１．７５倍オーバサンプリングを行ったときに撮像して得られた第二の画像における、空間周波数分布を示す図である。
【０１３１】
図１１Ｂに示すように、基本波、２倍高調波、及び、３倍高調波は、表示パネル２０の構造に起因して生じる成分である。また、モアレ９及び１０はそれぞれ、基本波、２倍高調波、及び、３倍高調波がナイキスト周波数で折り返された成分を示す。
【０１３２】
基本波は、空間周波数が１／１．７５ｆｓ（＝ｆｄ）に生じる周波数成分であり、表示パネル２０が緑ラスタ表示を行っていることで生じる成分である。２倍高調波は基本波の２倍の空間周波数（２／１．７５ｆｓ）に生じる高調波成分であり、３倍高調波は基本波の３倍の空間周波数（３／１．７５ｆｓ）に生じる高調波成分である。２倍高調波及び３倍高調波は、基本波の高調波成分であり、減衰している。つまり、２倍高調波及び３倍高調波の振幅は、基本波の振幅より小さくなる。
【０１３３】
空間周波数３／７ｆｓに生じるモアレ９は、基本波がナイキスト周波数で折り返すことで生じる成分である。モアレ９は、表示パネル２０の輝度ムラの空間周波数の領域（図１１Ｂに示すムラ領域）外に存在する。モアレ９の振幅は、基本波の振幅により定まる。つまり、モアレ９の振幅は、モアレ１０より大きい。
【０１３４】
空間周波数１／７ｆｓに生じるモアレ１０は、２倍高調波がナイキスト周波数で折り返すことで生じる成分である。モアレ１０は、表示パネル２０のムラ領域内に存在する。モアレ１０の振幅は、２倍高調波の振幅により定まる。なお、モアレ１０は、第二のモアレ成分の一例である。
【０１３５】
なお、３倍高調波がナイキスト周波数で折り返したモアレ成分は、表示ムラへの影響が実質的に無視できるレベルであり、図示を省略している。
【０１３６】
フィルタ１４４ｂは、第二の画像からムラ領域内に生じるモアレ１０を除去するための電気フィルタである。図１１Ｂに示すように、フィルタ１４４ｂは、空間周波数１／７ｆｓを含む空間周波数成分を除去する。フィルタ１４４ｂは、例えば、空間周波数１／７ｆｓを減衰帯域の中心周波数とするバンドエリミネーションフィルタである。なお、第二の空間サンプリング周波数で撮像された第二の画像に含まれるモアレの空間周波数成分であり、輝度ムラの空間周波数の領域内に存在するモアレ１０を除去する第三の電気フィルタの一例である。また、フィルタ１４４ｂは、フィルタ１４４ａと除去する空間周波数帯域が異なる。
【０１３７】
なお、倍率α２が非整数である場合、撮像装置３０のサンプリング周波数の設定値によって、基本波、２倍高調波、及び、３倍高調波が生じる空間周波数は異なる。つまり、モアレが生じる空間周波数が異なる。
【０１３８】
基本波がナイキスト周波数で折り返したモアレ成分は、パネル空間周波数ｆｄに対するサンプリング周波数ｆｓ２の倍率をα２、係数をｎ２とすると、
ＡＢＳ（ｆｓ２／α２−ｎ２×ｆｓ２）            ・・・（式１０）
により定まる。ただし、式１０における係数ｎ２は、
ＡＢＳ（ｆｓ２／α２−ｎ２×ｆｓ２）＜ｆｓ２／２          ・・・（式１１）
を満たす整数である。本実施の形態では、ｆｓ２／α２は、１／１．７５ｆｓである。また、式１１を満たす係数ｎ２は、１となり、式１０は３／７ｆｓとなる。つまり、図１１Ｂに示すように、基本波がナイキスト周波数で折り返したモアレ成分は、モアレ９となる。
【０１３９】
２倍高調波がナイキスト周波数で折り返したモアレ成分は、
ＡＢＳ（２ｆｓ２／α２−ｎ２×ｆｓ２）            ・・・（式１２）
により定まる。ただし、式９における係数ｎ２は、
ＡＢＳ（２ｆｓ２／α２−ｎ２×ｆｓ２）＜ｆｓ２／２        ・・・（式１３）
を満たす整数である。本実施の形態では、２ｆｓ２／α２は、２／１．７５ｆｓである。また、式１３を満たす係数ｎ２は、１となり、式９は１／７ｆｓとなる。つまり、図１１Ｂに示すように、２倍高調波がナイキスト周波数で折り返したモアレ成分は、モアレ１０となる。
【０１４０】
３倍高調波がナイキスト周波数で折り返したモアレ成分は、
ＡＢＳ（３ｆｓ３／α３−ｎ３×ｆｓ３）            ・・・（式１４）
により定まる。ただし、式１４における係数ｎ２は、
ＡＢＳ（３ｆｓ２／α２−ｎ２×ｆｓ２）＜ｆｓ２／２        ・・・（式１５）
を満たす整数である。本実施の形態では、３ｆｓ２／α２は、３／１．７５ｆｓである。また、式１５を満たす係数ｎ２は、２となり、式１４は２／７ｆｓとなる。
【０１４１】
なお、上記のように、式１０、式１２、及び、式１５に含まれる係数ｎ２は、互いに独立しており、例えば、少なくとも一部が異なる値であってもよい。また、上記式１０〜式１５は一例であり、他の式によりモアレの空間周波数が算出されてもよい。
【０１４２】
ここで、フィルタ４４及びフィルタ１４４ｂにより所定の空間周波数成分が除去された第二の画像の空間周波数分布について、図１２Ｂを参照しながら説明する。
【０１４３】
図１２Ｂは、実施の形態３に係る１．７５倍オーバサンプリング時におけるモアレ除去後の第二の画像の空間周波数特性を示す図である。
【０１４４】
図１２Ｂに示すように、第二の画像から空間周波数１／４ｆｄ（図１１Ｂに示す空間周波数１／７ｆｓ）付近及び高周波成分（例えば、１／２ｆｄ以上の成分）が除去される。具体的には、フィルタ４４により１／２ｆｄ（図１１Ｂに示す空間周波数１／３．５ｆｓ）以上の空間周波数成分が第二の画像から除去される。フィルタ４４は、第一のフィルタの一例である。また、フィルタ１４４ｂにより空間周波数１／４ｆｄ（図１１Ｂに示す空間周波数１／７ｆｓ）付近の空間周波数成分が第二の画像から除去される。
【０１４５】
そして、補正テーブル生成部４５は、フィルタ４４、１４４ａ及び１４４ｂによりモアレが除去された第一の画像と第二の画像とを合成した合成画像を生成し、当該合成画像から補正テーブルを算出する。合成画像の空間周波数分布について、図１２Ｃを参照しながら説明する。
【０１４６】
図１２Ｃは、実施の形態３に係る合成後の空間周波数特性を示す図である。
【０１４７】
図１２Ｃに示すように、合成後の空間周波数分布は、ムラ領域内におけるモアレ成分が除去された空間周波数分布が得られる。これにより、よりモアレが低減された撮像画像（ムラ撮像画像）を生成することができる。
【０１４８】
［３−２．画質調整システムの処理］
次に、上記の画質調整システム１００の処理について、図１３を参照しながら説明する。
【０１４９】
図１３は、実施の形態３に係る画質調整装置１４０の処理の一例を示すフローチャートである。
【０１５０】
図１３に示すように、まず、画質調整装置１４０は、表示パネル２０の表示を、一部のサブ画素（例えば、サブ画素２１ｂ）点灯した測定用画像に制御する（Ｓ２０）。具体的には、点灯制御部４２は、表示パネル２０の複数のサブ画素２１ａ〜２１ｃのうちサブ画素２１ｂのみが点灯した測定用画像を表示パネルに表示させる。これにより、表示パネル２０は、例えば、全面が緑色の画像を表示する。なお、点灯制御部４２は、複数のサブ画素２１ｂそれぞれに対する階調値が同じである画像信号を表示パネル２０に出力する。
【０１５１】
次に、画質調整装置１４０は、撮像装置３０のサンプリング周波数を第一の空間サンプリング周波数に制御する（Ｓ２１）。本実施の形態では、撮像制御部４１は、撮像装置３０のサンプリング周波数が表示パネル２０のパネル空間周波数の２．０倍となるように、撮像装置３０が備えるレンズの倍率を制御する。そして、撮像装置３０は、測定用画像を表示した表示パネル２０を撮像する。
【０１５２】
次に、画質調整装置１４０は、撮像装置３０が第一のサンプリング周波数で表示パネル２０を撮像した撮像画像（第一の画像の一例）の第一の空間周波数分布を生成する（Ｓ２２）。具体的には、モアレ抑制部１４３は、撮像装置３０から取得した撮像画像から当該撮像画像の空間周波数分布を生成する（図１１Ａを参照）。そして、画質調整装置１４０は、第一の画像からモアレ成分を除去する（Ｓ２３）。具体的には、モアレ抑制部１４３は、第一の画像から表示パネル２０の表示ムラにより生成されるムラ領域に存在するモアレ成分を少なくとも除去する。例えば、フィルタ１４４ａにより、第一の画像から空間周波数ゼロ付近及びｆｄ／２以上の空間周波数成分が除去される。
【０１５３】
次に、画質調整装置１４０は、撮像装置３０のサンプリング周波数を第二の空間サンプリング周波数に制御する（Ｓ２４）。つまり、撮像装置３０のサンプリング周波数は、第一の空間サンプリング周波数から第二のサンプリング周波数に変更される。具体的には、撮像制御部４１は、撮像装置３０のサンプリング周波数が表示パネル２０のパネル空間周波数の１．７５倍となるように、撮像装置３０が備えるレンズの倍率を制御する。そして、撮像装置３０は、測定用画像を表示した表示パネル２０を撮像する。なお、このとき点灯制御部４２は、表示パネル２０の表示を変更しない。つまり、撮像装置３０は、第一の空間サンプリング周波数で表示パネル２０を撮像するとき、及び、第二の空間サンプリング周波数で表示パネル２０を撮像するときで、同一の測定用画像を撮像する。
【０１５４】
次に、画質調整装置１４０は、撮像装置３０が第二のサンプリング周波数で表示パネル２０を撮像した撮像画像（第二の画像の一例）の第二の空間周波数分布を生成する（Ｓ２５）。具体的には、モアレ抑制部１４３は、撮像装置３０から取得した撮像画像から当該撮像画像の空間周波数分布を生成する（図１１Ｂを参照）。そして、画質調整装置１４０は、第二の画像からモアレ成分を除去する（Ｓ２６）。具体的には、モアレ抑制部１４３は、第二の画像から表示パネル２０の表示ムラにより生成されるムラ領域に存在するモアレ成分を少なくとも除去する。例えば、フィルタ４４及びフィルタ１４４ｂにより、第二の画像から空間周波数ゼロ付近及びｆｄ／２以上の空間周波数成分が除去される。
【０１５５】
次に、画質調整装置１４０は、モアレを除去した第一及び第二の画像を合成し、ムラ画像を生成する（Ｓ２７）。以降、ステップＳ２８及びＳ２９は、図４のステップＳ１４及びＳ１５と同様であり、説明を省略する。
【０１５６】
なお、上記ではステップＳ２３及びＳ２６でｆｄ／２以上の高周波成分を除去している例を示したが、これに限定されない。ステップＳ２３及びＳ２６のそれぞれでは、表示パネル２０の表示ムラにより生成されるムラ領域内に存在するモアレ成分（例えば、図１１Ａのモアレ８及び図１１Ｂのモアレ１０）が少なくとも除去されればよい。ｆｄ／２以上の高周波成分は、例えば、フィルタ４４によりムラ画像生成後に当該ムラ画像から除去されてもよい。
【０１５７】
［３−３．効果など］
以上説明したように、撮像制御部４１は、さらに、撮像装置３０の空間サンプリング周波数を第一の空間サンプリング周波数とは異なる第二の空間サンプリング周波数に制御する。画質調整装置１４０は、さらに、第一の空間サンプリング周波数で撮像された第一の画像に含まれるモアレの空間周波数成分である第一のモアレ成分であって、表示パネル２０の表示ムラの空間周波数の領域内に存在する第一のモアレ成分を除去するフィルタ１４４ａ（第二の電気フィルタの一例）と、第二の空間サンプリング周波数で撮像された第二の画像に含まれるモアレの空間周波数成分である第二のモアレ成分であって、表示ムラの空間周波数の領域内に存在する第二のモアレ成分を除去するフィルタ１４４ｂ（第三の電気フィルタの一例）と、を備える。フィルタ１４４ａが除去する周波数帯域とフィルタ１４４ｂが除去する周波数帯域とは、異なる。
【０１５８】
これにより、表示パネル２０の表示ムラにより生成されるムラ領域に無視できないレベルのモアレが存在する場合であっても、当該モアレが除去された少なくとも２つの撮像画像（例えば、第一の画像及び第二の画像）を合成することにより、モアレが除去されたムラ撮像画像を生成することができるので、モアレをより抑制することができる。また、撮像装置３０が設定できる空間サンプリング周波数の自由度が増す。例えば、表示パネル２０と撮像装置３０との組み合わせで、所望の空間サンプリング周波数に設定できない場合などに有効である。
【０１５９】
また、倍率α１は整数であり、パネル空間周波数ｆｄに対する第二の空間サンプリング周波数の倍率をα２としたときに、当該倍率α２は非整数である。
【０１６０】
これにより、倍率α１及びα２（アンダサンプリングの場合は、１／α１）が整数の場合、空間周波数ゼロ（ＤＣ成分）付近に折り返し成分（モアレ成分）が集中して生じ、倍率α１及びα２（アンダサンプリングの場合は、１／α１）が非整数の場合、空間周波数ゼロ（ＤＣ成分）付近のモアレは小さくなる。よって、倍率α１が整数のときに撮像された第一の画像と、倍率α２が非整数のときに撮像された第二の画像とを合成することで、より高精度にモアレが除去されたムラ画像を生成することができる。
【０１６１】
また、フィルタ１４４ａは、空間周波数ゼロを含む空間周波数成分を除去し、フィルタ１４４ｂは、第二の空間サンプリング周波数をｆｓ２としたときに、ＡＢＳ（ｆｓ２／α２−ｎ２×ｆｓ２）、ＡＢＳ（２ｆｓ２／α２−ｎ２×ｆｓ２）、および、ＡＢＳ（３ｆｓ２／α２−ｎ２×ｆｓ２）のうちの少なくとも１つを除去する。ただし、ＡＢＳ（ｆｓ２／α２−ｎ２×ｆｓ２）における係数ｎ２は、ＡＢＳ（ｆｓ２／α２−ｎ２×ｆｓ２）＜ｆｓ２／２を満たす整数であり、ＡＢＳ（２ｆｓ２／α２−ｎ２×ｆｓ２）における係数ｎ２は、ＡＢＳ（２ｆｓ２／α２−ｎ２×ｆｓ２）＜ｆｓ２／２を満たす整数であり、ＡＢＳ（３ｆｓ２／α２−ｎ２×ｆｓ２）における係数ｎ２は、ＡＢＳ（３ｆｓ２／α２−ｎ２×ｆｓ２）＜ｆｓ２／２を満たす整数である。
【０１６２】
これにより、倍率α１が整数の場合、空間周波数ゼロ（ＤＣ成分）付近に集中して生じる折り返し成分（モアレ成分）を効果的に除去することができる。また、倍率α２が非整数の場合、倍率α２の値によりモアレが生じる空間周波数は異なるが、当該モアレを当該空間周波数に応じて効果的に除去することができる。
【０１６３】
また、フィルタ４４は、さらに、第二の画像から、少なくともｆｄ／２以上の空間周波数成分を除去する。
【０１６４】
これにより、第二の画像においても、ｆｄ／２以上の空間周波数成分を除去することができるので、よりモアレが抑制された第二の画像を生成することができる。
【０１６５】
また、フィルタ４４は、倍率α１及び倍率α２が１より大きい場合に、前記第一の画像、及び、前記第二の画像のそれぞれから前記少なくともｆｄ／２以上の空間周波数成分を除去する。
【０１６６】
これにより、第一の画像及び第二の画像を合成後に所定の空間周波数成分を除去する処理が不要となる。
【０１６７】
また、フィルタ４４は、倍率α１及び倍率α２が１より大きい場合に、第一のモアレ成分が除去された第一の画像、及び、第二のモアレ成分が除去された第二の画像を合成した合成画像から少なくともｆｄ／２以上の空間周波数成分を除去する。
【０１６８】
これにより、ｆｄ／２以上の空間周波数成分を除去する処理を１回の処理で行うことができる。
【０１６９】
（その他の実施の形態）
以上、実施の形態に係る画質調整装置、画質調整システム、及び、画質調整方法について説明したが、本開示は、上記実施の形態に限定されるものではない。
【０１７０】
例えば、上記実施の形態では、画質調整装置などは、表示ムラとして輝度ムラを補正する補正テーブルを生成したが、これに限定されない。画質調整装置などは、輝度ムラ及び色ムラの少なくとも一方を補正する補正テーブルを生成してもよい。画質調整装置は、例えば、３つのサブ画素のそれぞれに対して当該サブ画素に対応した補正テーブルを生成することで、輝度ムラ及び色ムラを補正してもよい。例えば、点灯制御部が表示パネルのサブ画素のうち赤色を発するサブ画素のみを点灯させ、撮像装置は赤色の画像（測定用画像の一例）を表示する表示パネルを撮像する。画質調整装置は、撮像装置が撮像した画像から、赤色を発するサブ画素に対応した補正テーブルを生成する。また、緑色を発するサブ画素及び青色を発するサブ画素においても、同様処理が行われ、緑色を発するサブ画素に対応した補正テーブル、及び、青色を発するサブ画素に対応した補正テーブルが生成される。これにより、３つのサブ画素のそれぞれに対応した補正テーブルが生成される。
【０１７１】
また、上記実施の形態では、撮像装置は、モノクロ撮像素子を有する例について説明したが、これに限定されない。撮像装置は、例えば、カラー撮像素子を有していてもよい。撮像装置がカラー撮像素子を有している場合、１回の測定で、輝度ムラ及び色ムラを補正する補正テーブルを生成することができる。
【０１７２】
また、上記実施の形態では、表示パネルは、１画素が３つのサブ画素で形成される例について説明したが、これに限定されない。表示パネルは、１画素が４つ以上のサブ画素で形成されていてもよい。また、サブ画素は３原色（赤色、緑色、及び、青色）のうちの１色を発する例について説明したが、これに限定されない。画素を形成する複数のサブ画素の少なくとも１つは、３原色以外の色を発してもよい。
【０１７３】
また、点灯制御部は、実施の形態３のように、撮像装置が複数種類のサンプリング周波数で表示パネルの撮像を行う場合、表示パネルの点灯状態を複数のサブ画素の一部を点灯させる制御を行わなくてもよい。点灯制御部は、撮像装置が複数種類のサンプリング周波数で表示パネルの撮像を行う場合、例えば、複数のサブ画素を全て点灯させる（例えば、白ラスタ表示させる）制御を行ってもよい。
【０１７４】
また、上記実施の形態において、各構成要素は、専用のハードウェアで構成されるか、各構成要素に適したソフトウェアプログラムを実行することによって実現されてもよい。各構成要素は、プロセッサなどのプログラム実行部が、ハードディスクまたは半導体メモリなどの記録媒体に記録されたソフトウェアプログラムを読み出して実行することによって実現されてもよい。プロセッサは、半導体集積回路（ＩＣ）、又はＬＳＩ（Ｌａｒｇｅ  ｓｃａｌｅ  ｉｎｔｅｇｒａｔｉｏｎ）を含む一つ又は複数の電子回路で構成される。複数の電子回路は、一つのチップに集積されていてもよいし、複数のチップに設けられてもよい。複数のチップは一つの装置に集約されていてもよし、複数の装置に備えられていてもよい。
【０１７５】
また、上記実施の形態において説明された複数の処理の順序は一例である。複数の処理の順序は、変更されてもよいし、複数の処理は、並行して実行されてもよい。
【０１７６】
その他、各実施の形態に対して当業者が思いつく各種変形を施して得られる形態、または、本開示の趣旨を逸脱しない範囲で各実施の形態における構成要素及び機能を任意に組み合わせることで実現される形態も本開示に含まれる。
【符号の説明】
【０１７７】
１０、１０ａ、１００    画質調整システム
２０    表示パネル
２１    表示部
２１ａ〜２１ｃ    サブ画素
２１ｄ    画素
２２    制御部
２３    記憶部
３０、３０ａ    撮像装置
３１    光学フィルタ
４０、１４０    画質調整装置
４１    撮像制御部
４２    点灯制御部
４３、１４３    モアレ抑制部
４４    フィルタ（第一の電気フィルタ）
４５    補正テーブル生成部
１４４ａ    フィルタ（第一の電気フィルタ、第二の電気フィルタ）
１４４ｂ    フィルタ（第三の電気フィルタ）
α１、α２    倍率
ｎ１、ｎ２    係数
ｆｓ、ｆｓ１    サンプリング周波数（第一の空間サンプリング周波数）
ｆｓ２    サンプリング周波数（第二の空間サンプリング周波数）
ｆｄ    パネル空間周波数
ｐ    画素ピッチ
【図１】
2019176279.tif 000003
【図２】
2019176279.tif 000004
【図３Ａ】
2019176279.tif 000005
【図３Ｂ】
2019176279.tif 000006
【図４】
2019176279.tif 000007
【図５Ａ】
2019176279.tif 000008
【図５Ｂ】
2019176279.tif 000009
【図５Ｃ】
2019176279.tif 000010
【図６】
2019176279.tif 000011
【図７】
2019176279.tif 000012
【図８】
2019176279.tif 000013
【図９】
2019176279.tif 000014
【図１０】
2019176279.tif 000015
【図１１Ａ】
2019176279.tif 000016
【図１１Ｂ】
2019176279.tif 000017
【図１２Ａ】
2019176279.tif 000018
【図１２Ｂ】
2019176279.tif 000019
【図１２Ｃ】
2019176279.tif 000020
【図１３】
2019176279.tif 000021